(57)【特許請求の範囲】
【請求項１】
本体ケーシングと、
前記本体ケーシング内の内方位置と、前記本体ケーシング外の外方位置との間を移動可能なドラムユニットであって、
感光ドラムと、
前記感光ドラムの表面上に残留しているトナーを除去するように構成されるクリーニングユニットと、
前記クリーニングユニットにより除去されたトナーを搬送するように構成される搬送ユニットと、を備えるドラムユニットと、
前記搬送ユニットにより搬送されたトナーを収容するように構成される廃トナー収容ユニットと、を備え、
前記搬送ユニットは、
前記クリーニングユニットにより除去されたトナーを前記ドラムユニットの移動方向に沿って搬送するように構成される第１搬送部材と、
前記移動方向に延びるとともに前記第１搬送部材を収容する搬送管であって、前記第１搬送部材により搬送されたトナーを前記廃トナー収容ユニットへ向けて排出する排出口を有する搬送管と、を備え、
前記搬送管は、
半筒状部、および、筒状部を有する第１フレームと、
半筒状部を有する第２フレームと、を備え、
前記第１フレームの前記半筒状部と前記第２フレームの前記半筒状部とは、前記クリーニングユニットによって除去されたトナーが通過する中空の第１空間を形成し、
前記第１フレームの前記筒状部は、前記第１空間を通過したトナーが通過する中空の第２空間を形成する
ことを特徴とする、画像形成装置。
【請求項２】
前記第１フレームの前記筒状部は、前記排出口を備えることを特徴とする、請求項１に記載の画像形成装置。
【請求項３】
前記第１フレームは、第１係合部を備え、
前記第２フレームは、前記第１係合部と係合する第２係合部を備えている
ことを特徴とする、請求項１または２に記載の画像形成装置。
【請求項４】
前記第１係合部は、前記移動方向から見て突出する突起であり、
前記第２係合部は、前記突起の上面と接触する
ことを特徴とする、請求項３に記載の画像形成装置。
【請求項５】
前記第１係合部の下面は、前記第１空間および前記第２空間から離れる方向に向かうにつれて、上方に傾斜することを特徴とする、請求項４に記載の画像形成装置。
【請求項６】
前記第１係合部は、前記移動方向において、互いに間隔を空けて複数配置され、
前記第２係合部は、前記移動方向において、互いに間隔を空けて複数配置されている
ことを特徴とする、請求項３〜５のいずれか一項に記載の画像形成装置。
【請求項７】
前記第１フレームの前記筒状部は、前記第１搬送部材の搬送方向上流端に、前記搬送方向と逆方向に突出する突出部を備え、
前記第２フレームの前記半筒状部は、前記第２フレームを前記第１フレームに固定した状態で、前記搬送方向における下流端に、前記搬送方向に突出して前記突出部に下方から接触する接触部を備える
ことを特徴とする、請求項１〜６のいずれか一項に記載の画像形成装置。
【請求項８】
前記第１フレームの前記半筒状部は、上下方向における前記第２フレームに近い端縁において、下方に向かって延びる第１縁部を備え、
前記第２フレームは、上下方向における前記第１フレームの前記半筒状部に近い端縁において、上方に向かって延び、前記第１縁部の内面と接触する第２縁部を備えていることを特徴とする、請求項１〜７のいずれか一項に記載の画像形成装置。
【請求項９】
前記第２縁部は、前記第１縁部の内面と接触する接触面を備えていることを特徴とする、請求項８に記載の画像形成装置。
【請求項１０】
前記第２フレームは、下方に向かって窪み、前記第１縁部を受け入れる凹部を備えていることを特徴とする、請求項９に記載の画像形成装置。
【請求項１１】
前記凹部は、前記接触面と連続していることを特徴とする、請求項１０に記載の画像形成装置。
【請求項１２】
前記搬送管は、前記第１フレームと前記クリーニングユニットとを接続する接続部を備えていることを特徴とする、請求項１〜１１のいずれか一項に記載の画像形成装置。
【請求項１３】
前記ドラムユニットは、前記感光ドラムを位置決めする位置決め板を備え、
前記接続部は、前記位置決め板に対して固定可能な固定部を備えている
ことを特徴とする、請求項１２に記載の画像形成装置。
【請求項１４】
前記第１係合部は、前記移動方向において、前記接続部と並んで位置する第３係合部と、前記移動方向において、前記接続部に対して前記第３係合部と反対に並んで位置する第４係合部とを含むことを特徴とする、請求項１２または１３に記載の画像形成装置。
【請求項１５】
前記搬送管は、
前記移動方向に沿って延び、前記第１搬送部材を収容する第１搬送管と、
前記第１搬送管と連結し、前記第１搬送管の延びる方向と交差する方向に延びる第２搬送管と、
前記第２搬送管と連結し、前記排出口を備え、前記第１搬送管の延びる方向に沿って延びる第３搬送管と
を備え、
前記第１搬送管は、前記第１フレームと前記第２フレームとを備えている
ことを特徴とする、請求項１〜１４のいずれか一項に記載の画像形成装置。
【請求項１６】
前記筒状部は、円筒状であることを特徴とする、請求項１〜１５のいずれか一項に記載の画像形成装置。
【請求項１７】
前記第１フレームの前記半筒状部および前記第２フレームの前記半筒状部は、半円筒状であることを特徴とする、請求項１〜１６のいずれか一項に記載の画像形成装置。
【請求項１８】
前記第１搬送部材は、オーガスクリューであることを特徴とする、請求項１〜１７のいずれか一項に記載の画像形成装置。
【請求項１９】
感光ドラムと、
前記感光ドラムの表面上に残留しているトナーを除去するように構成されるクリーニングユニットと、
前記クリーニングユニットにより除去されたトナーを搬送するように構成される搬送ユニットと、を備え、
前記搬送ユニットは、
前記クリーニングユニットにより除去されたトナーを搬送するように構成される第１搬送部材と、
前記第１搬送部材を収容する搬送管であって、前記第１搬送部材により搬送されたトナーを外部へ排出する排出口を有する搬送管と、を備え、
前記搬送管は、
半筒状部と、筒状部とを有する第１フレームと、
半筒状部を有する第２フレームと、を備え、
前記第１フレームの前記半筒状部と前記第２フレームの前記半筒状部とは、前記クリーニングユニットによって除去されたトナーが通過する中空の第１空間を形成し、
前記第１フレームの前記筒状部は、前記第１空間を通過したトナーが通過する中空の第２空間を形成する
ことを特徴とする、ドラムユニット。
【発明の詳細な説明】
【技術分野】
【０００１】
本発明は、電子写真方式が採用される画像形成装置、および、その画像形成装置に装着されるドラムユニットに関する。
【背景技術】
【０００２】
電子写真方式の画像形成装置として、イエロー、マゼンタ、シアンおよびブラックの各色に対応する感光体ドラムを有する、いわゆるタンデム型の画像形成装置が知られている。
【０００３】
このような画像形成装置として、感光体ドラムを支持し、感光体ドラム上に残留する残留トナーを除去するクリーニングブレードと、クリーニングブレードにより除去された残留トナーを搬送する第１の搬送手段とを備える複数の現像ユニットと、複数の現像ユニットの第１の搬送手段からの残留トナーを廃棄トナー収容部まで搬送する第２の搬送手段とを備える画像形成装置が提案されている（例えば、特許文献１参照）。
【先行技術文献】
【特許文献】
【０００４】
【特許文献１】特開２０１０−８８１０号公報
【発明の概要】
【発明が解決しようとする課題】
【０００５】
しかるに、上記した特許文献１に記載の画像形成装置では、第２の搬送手段は、複数の現像ユニットからの残留トナーをまとめて搬送するために、長いパイプ部材から構成されている。
【０００６】
このように長いパイプ部材は、１つの部材で構成することが難しいため、複数の部材からパイプ部材を構成することが検討される。しかし、そのような場合には、トナーが搬送方向の下流に向かうにつれて、トナーによってパイプ部材にかかる圧力が大きくなるため、とりわけ、搬送方向の下流において、その圧力によって複数の部材の間に隙間が生じやすくなり、トナーが漏れやすくなるという不具合がある。
【０００７】
そこで、本発明の目的は、安定してトナーを搬送することのできる画像形成装置、および、ドラムユニットを提供することにある。
【課題を解決するための手段】
【０００８】
本発明の画像形成装置は、本体ケーシングと、本体ケーシング内の内方位置と、本体ケーシング外の外方位置との間を移動可能なドラムユニットであって、感光ドラムと、感光ドラムの表面上に残留しているトナーを除去するように構成されるクリーニングユニットと、クリーニングユニットにより除去されたトナーを搬送するように構成される搬送ユニットと、を備えるドラムユニットと、搬送ユニットにより搬送されたトナーを収容するように構成される廃トナー収容ユニットと、を備え、搬送ユニットは、クリーニングユニットにより除去されたトナーをドラムユニットの移動方向に沿って搬送するように構成される第１搬送部材と、移動方向に延びるとともに第１搬送部材を収容する搬送管であって、第１搬送部材により搬送されたトナーを廃トナー収容ユニットへ向けて排出する排出口を有する搬送管と、を備え、搬送管は、半筒状部、および、筒状部を有する第１フレームと、半筒状部を有する第２フレームと、を備え、第１フレームの半筒状部と第２フレームの半筒状部とは、クリーニングユニットによって除去されたトナーが通過する中空の第１空間を形成し、第１フレームの筒状部は、第１空間を通過したトナーが通過する中空の第２空間を形成する。
【０００９】
このような構成によれば、感光ドラムの表面上からクリーニングユニットによって除去されたトナーは、搬送管内を、第１搬送部材によって、廃トナー収容ユニットに向けて搬送される。
【００１０】
このとき、トナーは、搬送管において、第１フレームの半筒状部と第２フレームの半筒状部とから形成される第１空間を通過し、第１フレームの筒状部内に形成される第２空間内を通過する。
【００１１】
そのため、搬送方向の上流においては、第１フレームの半筒状部と第２フレームの半筒状部とから形成される第１空間において、トナーを搬送し、搬送方向の上流と比較して、搬送管にかかるトナーの圧力が増加する搬送方向の下流においては、第１フレームのみからなる筒状部に形成される第２空間において、トナーを漏らすことなく搬送することができる。
【００１２】
その結果、第１フレームと、第２フレームとによって、トナーを安定して搬送することができる。
【００１３】
また、本発明のドラムユニットは、感光ドラムと、感光ドラムの表面上に残留しているトナーを除去するように構成されるクリーニングユニットと、クリーニングユニットにより除去されたトナーを搬送するように構成される搬送ユニットと、を備え、搬送ユニットは、クリーニングユニットにより除去されたトナーを搬送するように構成される第１搬送部材と、第１搬送部材を収容する搬送管であって、第１搬送部材により搬送されたトナーを外部へ排出する排出口を有する搬送管と、を備え、搬送管は、半筒状部と、筒状部とを有する第１フレームと、半筒状部を有する第２フレームと、を備え、第１フレームの半筒状部と第２フレームの半筒状部とは、クリーニングユニットによって除去されたトナーが通過する中空の第１空間を形成し、第１フレームの筒状部は、第１空間を通過したトナーが通過する中空の第２空間を形成する。
【００１４】
このような構成によれば、感光ドラムの表面上からクリーニングユニットによって除去されたトナーは、搬送管内を、第１搬送部材によって搬送される。
【００１５】
このとき、トナーは、搬送管において、第１フレームの半筒状部と第２フレームの半筒状部とから形成される第１空間を通過し、第１フレームの筒状部内に形成される第２空間内を通過する。
【００１６】
そのため、搬送方向の上流においては、第１フレームの半筒状部と第２フレームの半筒状部とから形成される第１空間において、トナーを搬送し、搬送方向の上流と比較して、搬送管にかかるトナーの圧力が増加する搬送方向の下流においては、第１フレームのみからなる筒状部に形成される第２空間において、トナーを漏らすことなく搬送することができる。
【００１７】
その結果、第１フレームと、第２フレームとによって、トナーを安定して搬送することができる。
【発明の効果】
【００１８】
本発明の画像形成装置、および、ドラムユニットによれば、安定してトナーを搬送することができる。
【図面の簡単な説明】
【００１９】
【図１】図１は、本発明の第１実施形態の画像形成装置の中央断面図である。
【図２】図２は、図１に示すドラムユニットを右上方から見た斜視図である。
【図３】図３Ａは、図２に示す搬送ユニットに対して、第１位置決め板が取り付けられた状態を左上方から見た斜視図である。図３Ｂは、図３Ａに示す搬送ユニットを左下方から見た分解斜視図である。
【図４】図４は、図１に示すドラムユニットおよびベルトユニットの正面図である。
【図５】図５は、図４のＡ−Ａ断面図である。なお、図５では、感光ドラム、クリーニングユニットおよび第２位置決め板以外の部材を省略している。
【図６】図６は、図４のＢ−Ｂ断面図である。
【図７】図７Ａは、図３Ａに示す搬送ユニットの右側面図である。図７Ｂは、図７Ａに示す第１搬送管の側断面図である。
【図８】図８は、図６のＣ−Ｃ断面図である。
【図９】図９Ａは、図７ＡのＤ−Ｄ断面図である。図９Ｂは、図９Ａに示す第１搬送管を第１フレームと第２フレームとに分離した状態を示す。
【図１０】図１０Ａは、本発明の第２実施形態の画像形成装置に装着される搬送管を左下方から見た斜視図である。図１０Ｂは、図１０Ａに示す搬送管の分解斜視図である。
【発明を実施するための形態】
【００２０】
１．画像形成装置の全体構成
図１に示すように、画像形成装置１は、横置きタイプのダイレクトタンデム型カラーレーザプリンタである。
【００２１】
画像形成装置１は、開口２１を有する本体ケーシング２と、プロセスユニット３と、スキャナユニット４と、ベルトユニット５と、定着ユニット６とを備えている。
【００２２】
本体ケーシング２は、略ボックス形状に形成されている。本体ケーシング２は、フロントカバー２２と、給紙トレイ７と、排紙トレイ８とを有している。
【００２３】
開口２１は、本体ケーシング２の前端部に配置されている。開口２１は、プロセスユニット３の通過を許容するように、本体ケーシング２の内外を前後方向に連通している。
【００２４】
フロントカバー２２は、本体ケーシング２の前端部に配置されている。フロントカバー２２は、略平板形状を有している。フロントカバー２２は、上下方向に延び、その下端部を支点として本体ケーシング２の前壁に揺動可能に支持されている。フロントカバー２２は、開口２１を開放または閉鎖するように構成されている。
【００２５】
給紙トレイ７は、本体ケーシング２の底部に配置されている。給紙トレイ７は、用紙Ｐを収容するように構成されている。
【００２６】
排紙トレイ８は、本体ケーシング２の上壁に配置されている。排紙トレイ８は、用紙Ｐが載置されるように、本体ケーシング２の上面から下方へ凹んでいる。
【００２７】
プロセスユニット３は、本体ケーシング２の中央に配置されている。プロセスユニット３は、開口２１を介して、本体ケーシング２内に位置する内方位置と、本体ケーシング２外に位置する外方位置とに、前後方向に沿ってスライド移動可能である。プロセスユニット３は、ドラムユニット９と、複数（４つ）の現像カートリッジ１０とを備えている。
【００２８】
ドラムユニット９は、複数（４つ）の感光ドラム１１と、複数（４つ）のスコロトロン型帯電器１２とを備えている。
【００２９】
感光ドラム１１は、プロセスユニット３の下端部に回転可能に支持されている。４つの感光ドラム１１は、イエロー、マゼンタ、シアン、ブラックに対応している。４つの感光ドラム１１は、前方から後方に向かって、イエロー、マゼンタ、シアン、ブラックの順に互いに間隔を隔てて並列配置されている。感光ドラム１１は、左右方向に延びる略円筒形状を有している。
【００３０】
スコロトロン型帯電器１２は、対応する感光ドラム１１の後上方に間隔を隔てて配置されている。
【００３１】
４つの現像カートリッジ１０は、内部に収容されるトナーの色を除いて、同じ構成である。現像カートリッジ１０は、対応する感光ドラム１１の上方に配置されている。現像カートリッジ１０は、現像ローラ１３と、供給ローラ１４とを備えている。
【００３２】
現像ローラ１３は、現像カートリッジ１０の下端部において、後方へ露出するように回転可能に支持されている。現像ローラ１３は、感光ドラム１１の前上端部に接触している。
【００３３】
供給ローラ１４は、現像ローラ１３の前上方に配置されている。供給ローラ１４は、現像ローラ１３の前上端部に接触している。
【００３４】
スキャナユニット４は、本体ケーシング２の上端部に配置されている。スキャナユニット４は、図１に実線で示すように、感光ドラム１１に向かって、画像データに基づいてレーザービームを出射し、感光ドラム１１を露光する。
【００３５】
ベルトユニット５は、プロセスユニット３の下方に配置されている。ベルトユニット５は、駆動ローラ１５、従動ローラ１６と、ベルト１７と、複数（４つ）の転写ローラ１８とを備えている。
【００３６】
駆動ローラ１５は、ベルトユニット５の後端部に配置されている。
【００３７】
従動ローラ１６は、駆動ローラ１５の前方に間隔を隔てて対向配置されるように、ベルトユニット５の前端部に配置されている。
【００３８】
ベルト１７は、ドラムユニット９が内方位置における第２内方位置に位置するときに、その上方部分がすべての感光ドラム１１と接触するように、駆動ローラ１５および従動ローラ１６の周りに巻回されている。ベルト１７は、駆動ローラ１５の駆動、および、従動ローラ１６の従動により、その上方部分が前方から後方へ向かって移動するように、周回移動される。
【００３９】
転写ローラ１８は、対応する感光ドラム１１の下方において、ベルト１７の上方部分を挟んで配置されている。
【００４０】
定着ユニット６は、ベルトユニット５の後方に配置されている。定着ユニット６は、加熱ローラ１９と、加熱ローラ１９に接触する加圧ローラ２０とを備えている。
【００４１】
そして、画像形成装置１が画像形成動作を開始すると、スコロトロン型帯電器１２は、感光ドラム１１の表面を一様に帯電する。その後、スキャナユニット４は、感光ドラム１１の表面を露光する。これにより、画像データに基づく静電潜像が、感光ドラム１１の表面に形成される。
【００４２】
また、供給ローラ１４は、現像カートリッジ１０内のトナーを現像ローラ１３に供給する。このとき、トナーは、現像ローラ１３と供給ローラ１４との間で正極性に摩擦帯電され、現像ローラ１３上に担持される。
【００４３】
そして、現像ローラ１３は、担持されたトナーを、感光ドラム１１の表面上の静電潜像に供給する。これにより、トナー像が、感光ドラム１１の表面上に担持される。
【００４４】
用紙Ｐは、各種ローラの回転により、給紙トレイ７から前上方へ搬送された後、後上方へＵターンされて、所定のタイミングで１枚ずつ、イエローの感光ドラム１１とベルト１７との間に給紙される。その後、用紙Ｐは、ベルト１７によって前方から後方へ向かって搬送される。感光ドラム１１上のトナー像は、用紙Ｐが感光ドラム１１と転写ローラ１８との間を通過するときに、用紙Ｐに転写される。
【００４５】
その後、用紙Ｐは、加熱ローラ１９と加圧ローラ２０との間を通過するときに加熱および加圧される。このとき、用紙Ｐ上のトナー像は、用紙Ｐに熱定着される。その後、用紙Ｐは、排紙トレイ８に排紙される。
２．ドラムユニットの詳細
ドラムユニット９は、図２および図４に示すように、平面視略矩形の枠形状を有している。ドラムユニット９は、複数（４つ）の穴４０および複数（４つ）の穴４１を有する位置決め板の一例としての第１位置決め板２８および第２位置決め板２９と、複数（４つ）のクリーニングユニット３０と、搬送ユニット３１と、前板３２と、後板３３と、第１側板３４と、第２側板３５とを備えている。
（１）第１位置決め板および第２位置決め板
第１位置決め板２８は、図４に示すように、ドラムユニット９の右端部に配置されている。第１位置決め板２８は、図３Ａおよび図３Ｂに示すように、前後方向に長い側面視略矩形の平板形状を有している。
【００４６】
４つの穴４０は、前後方向に互いに等間隔を隔てて配置されている。穴４０は、感光ドラム１１に対応して配置されている。穴４０は、側面視略円形状を有している。
【００４７】
４つの穴４１は、前後方向に互いに等間隔を隔てて配置されている。穴４１は、対応する穴４０の後方に配置されている。穴４１は、側面視略矩形状を有している。
【００４８】
第２位置決め板２９は、図４および図５に示すように、第１位置決め板２８から左方に間隔を隔てて、ドラムユニット９の左端部に配置されている。第２位置決め板２９は、図５に示すように、第１位置決め板２８と略同一形状を有している。そのため、第２位置決め板２９についての説明を省略する。
【００４９】
そして、第１位置決め板２８の穴４０が感光ドラム１１の右端部を受け入れ、第２位置決め板２９の穴４０が感光ドラム１１の左端部を受け入れることにより、第１位置決め板２８および第２位置決め板２９に対して、感光ドラム１１が回転可能に支持され、位置決めされている。
（２）クリーニングユニット
クリーニングユニット３０は、図２および図５に示すように、対応する感光ドラム１１の後方に配置されている。クリーニングユニット３０は、感光ドラム１１の表面に付着、残留したトナーを除去するように構成されている。クリーニングユニット３０は、図５に示すように、フレーム６０と、クリーニング部材６１と、クリーニング搬送部材６２とを備えている。
【００５０】
フレーム６０は、左右方向に延び、左端部が閉鎖され、右端部と前端部とが開放された略半円筒形状を有している。
【００５１】
クリーニング部材６１は、左右方向に延びる略平板形状を有している。クリーニング部材６１の上端部は、フレーム６０の上端部に固定されている。クリーニング部材６１の下端部は、フレーム６０の前方における開放部分の上方半分を被覆するように、フレーム６０の前方に向かい合っている。また、クリーニング部材６１の下端部は、後方に湾曲した状態で、感光ドラム１１の後端部に接触している。
【００５２】
クリーニング搬送部材６２は、フレーム６０内に配置されている。クリーニング搬送部材６２は、左右方向に延びる右ねじ状のオーガスクリューである。クリーニング搬送部材６２の左端部は、フレーム６０の左壁に相対回転可能に支持されている。
（３）搬送ユニット
搬送ユニット３１は、図２および図４に示すように、ドラムユニット９の右下端部に配置されている。搬送ユニット３１は、クリーニングユニット３０によって感光ドラム１１の表面上から除去されたトナーを、後述する廃トナー収容ユニット１５０へ搬送するように構成されている。搬送ユニット３１は、図３Ｂおよび図６に示すように、搬送管８０と、第１搬送部材８１と、第２搬送部材８２と、第１ギア８４と、第２ギア８５と、ギアカバー８６と、シャッタユニット８８とを備えている。
【００５３】
搬送管８０は、前後方向、すなわち、ドラムユニット９の移動方向に延びている。搬送管８０は、第１搬送部９１と、第２搬送部９２と、第１搬送部材８１が挿通される穴１１１および第２搬送部材８２が挿通される穴１１２を有する閉鎖部９３とを備えている。
【００５４】
第１搬送部９１は、第１搬送管９５と、複数（４つ）の接続部９６とを備えている。
【００５５】
第１搬送管９５は、図３Ａおよび図３Ｂに示すように、第１フレーム４４と、第２フレーム４５とを備えている。
【００５６】
第１フレーム４４は、図３Ｂおよび図７Ａに示すように、筒状部４８と、半筒状部４９と、第１鍔部５０と、第２鍔部５１と、複数（４つ）の第１突起５２と、複数（３つ）の第２突起５３と、複数（７つ）の７つの第３突起５４とを備えている。
【００５７】
筒状部４８は、第１フレーム４４の前端部に配置されている。筒状部４８は、前後方向に延びる略円筒形状を有している。筒状部４８の前端部は、図７Ｂに示すように、排出口の一例としての連通口５５として画定されている。また、筒状部４８は、突出部５６を備えている。
【００５８】
突出部５６は、筒状部４８の下方半分における後端部から、後方に向かって延びている。突出部５６は、筒状部４８と中心軸線を共有し、上方が開放された略半円筒形状を有している。つまり、突出部５６は、筒状部４８において、第１搬送管９５内をトナーが搬送される搬送方向の上流端に配置されており、筒状部４８から、搬送方向の逆方向に突出している。突出部５６の内径は、筒状部４８の内径と略同じであり、突出部５６の外径は、筒状部４８の外径よりもわずかに小さい。
【００５９】
半筒状部４９は、筒状部４８の上方半分における後端部から、後方に向かって延びる略半円筒形状を有している。半筒状部４９は、筒状部４８と中心軸線を共有している。半筒状部４９の前後方向寸法は、図６に示すように、最前端の感光ドラム１１の中心軸線から、ベルトユニット５の後端までの寸法と略同じである。半筒状部４９は、図３Ｂおよび図９Ｂに示すように、第１縁部の一例としての第１端縁５７と、第１縁部の一例としての第２端縁５８とを備えている。
【００６０】
第１端縁５７は、半筒状部４９の左下端部から下方に突出している。第１端縁５７は、半筒状部４９の前後方向全域にわたって延びる略棒形状を有している。第１端縁５７は、図９Ｂに示すように、下方に向かうにつれて細くなる断面視略台形状を有している。第１端縁５７の右面は、内面５７Ａとして構成されている。
【００６１】
第２端縁５８は、図３Ｂおよび図９Ｂに示すように、半筒状部４９の右下端部から下方に突出している。第２端縁５８は、半筒状部４９の前後方向全域にわたって延びる略棒形状を有している。第２端縁５８は、図９Ｂに示すように、下方に向かうにつれて細くなる断面視略台形状を有している。第２端縁５８の左面は、内面５８Ａとして構成されている。
【００６２】
第１鍔部５０は、図３Ｂおよび図９Ｂに示すように、半筒状部４９の左下端部に配置されている。第１鍔部５０は、第１端縁５７の下端部よりも上方において、第１端縁５７の左面から左方に突出している。第１鍔部５０は、半筒状部４９の前後方向全域にわたって延びる略棒形状を有している。
【００６３】
第２鍔部５１は、半筒状部４９の右下端部に配置されている。第２鍔部５１は、図９Ｂに示すように、第２端縁５８の下端部よりも上方において、第２端縁５８の右面から左方に突出している。第２鍔部５１は、半筒状部４９の前後方向全域にわたって延びる略棒形状を有している。
【００６４】
４つの第１突起５２は、図３Ｂに示すように、第１フレーム４４の左方において、前後方向に互いに間隔を隔てて配置されている。第１突起５２は、半筒状部４９の左方周壁から、左方に向かって突出している。半筒状部４９の下端部は、第１鍔部５０の上面に連続している。また、第１突起５２の下面は、左方に向かうにつれて、上方に傾斜している。第１突起５２は、突起、第１係合部および第３係合部の一例として構成されている。
【００６５】
３つの第２突起５３は、第１フレーム４４の左方において、前後方向に互いに間隔を隔てて配置されている。第２突起５３は、前後方向に隣接する第１突起５２の間に配置されている。第２突起５３は、図３Ｂおよび図９Ｂに示すように、半筒状部４９の左方周壁から、左方に向かって突出している。半筒状部４９の下端部は、第１鍔部５０の上面に連続している。また、第２突起５３の下面は、左方に向かうにつれて、上方に傾斜している。
なお、図３Ｂに示すように、第２突起５３の前後方向寸法は、第１突起５２の前後方向寸法よりも大きい。第２突起５３は、突起、第１係合部および第３係合部の一例として構成されている。
【００６６】
７つの第３突起５４は、図７Ａおよび図９Ａに示すように、第１フレーム４４の右方において、前後方向に互いに間隔を隔てて配置されている。第３突起５４は、第２鍔部５１の右端部から、右方に向かって突出している。第３突起５４は、平面視略矩形の略平板形状を有している。第３突起５４は、突起および第１係合部の一例として構成されている。
【００６７】
第２フレーム４５は、図３Ｂおよび図７Ａに示すように、第１フレーム４４の半筒状部４９の下方に配置されている。第２フレーム４５は、図３Ｂおよび図９Ｂに示すように、半筒状部６４と、凹部の一例としての第１凹部７３を有する第３鍔部６５と、凹部の一例としての第２凹部７４を有する第４鍔部６６と、第１係止穴７５を有する複数（４つ）の第１引掛り部６７と、第２係止穴７６を有する複数（３つ）の第２引掛り部６８と、第３係止穴７７を有する複数（７つ）の第３引掛り部６９とを備えている。
【００６８】
半筒状部６４は、前後方向に延び、上方が開放された略半円筒形状を有している。半筒状部６４は、第１フレーム４４の筒状部４８および半筒状部４９と、中心軸線を共有している。半筒状部６４は、図３Ｂに示すように、第２縁部の一例としての第３端縁７０と、第２縁部の一例としての第４端縁７１と、接触部７２とを備えている。
【００６９】
第３端縁７０は、図３Ｂおよび図９Ｂに示すように、半筒状部６４の左上端部から上方に突出している。第３端縁７０は、半筒状部６４の前後方向全域にわたって延びる略棒形状を有している。第３端縁７０は、上方に向かうにつれて、その左面が右方に傾斜する断面視略台形状を有している。第３端縁７０の右面は、接触面の一例としての外面７０Ａとして構成されている。外面７０Ａは、図９Ａに示すように、半筒状部４９の第１端縁５７の内面５７Ａと接触している。
【００７０】
第４端縁７１は、図９Ｂに示すように、半筒状部６４の右上端部に配置されている。第４端縁７１は、半筒状部６４の右上端部から上方に突出し、半筒状部６４の前後方向全域にわたって延びる略棒形状を有している。第４端縁７１は、上方に向かうにつれて細くなる断面視略台形状を有している。第４端縁７１の左面は、接触面の一例としての外面７１Ａとして構成されている。外面７１Ａは、図９Ａに示すように、半筒状部４９の第２端縁５８の内面５８Ａと接触している。
【００７１】
接触部７２は、図３Ｂおよび図７Ｂに示すように、半筒状部６４の前端部分であって、前後方向に延び、上方が開放された略半円筒形状を有している。接触部７２は、半筒状部６４と中心軸線を共有している。接触部７２の外径は、半筒状部６４の外径と略同じであり、接触部７２の内径は、半筒状部６４の内径よりもわずかに大きい。接触部７２は、第１フレーム４４の筒状部４８の突出部５６に対して、下方から接触している。
【００７２】
第３鍔部６５は、図３Ｂおよび図９Ｂに示すように、半筒状部６４の左上端部に配置されている。第３鍔部６５は、第３端縁７０の上端部よりも下方において、第３端縁７０の左面から左方に突出している。第３鍔部６５は、第２フレーム４５の前後方向全域にわたって延びる略棒形状を有している。
【００７３】
第１凹部７３は、図９Ｂに示すように、外面７０Ａの下端部から連続し、第３鍔部６５の上面から下方に向かって窪んでいる。第１凹部７３は、第３鍔部６５の前後方向全域にわたって延びている。第１凹部７３は、図９Ａに示すように、第１フレーム４４の半筒状部４９の第１端縁５７を受け入れている。
【００７４】
第４鍔部６６は、図３Ｂおよび図９Ｂに示すように、半筒状部６４の右端部に配置されている。第４鍔部６６は、第４端縁７１の上端部よりも下方において、第４端縁７１の右面から右方に突出している。第４鍔部６６は、第２フレーム４５の前後方向全域にわたって延びる略棒形状を有している。
【００７５】
第２凹部７４は、図９Ｂに示すように、外面７１Ａの下端部から連続し、第４鍔部６６の上面から下方に向かって窪んでいる。第２凹部７４は、第４鍔部６６の前後方向全域にわたって延びている。第２凹部７４は、図９Ａに示すように、第１フレーム４４の半筒状部４９の第２端縁５８を受け入れている。
【００７６】
４つの第１引掛り部６７は、図３Ｂに示すように、第２フレーム４５の左方において、前後方向に互いに間隔を隔てて配置されている。第１引掛り部６７は、第１フレーム４４の第１突起５２に対応している。第１引掛り部６７は、第３鍔部６５の左面から左方に向かって延びた後、上方に向かって屈曲する断面視略Ｌ字状の略平板形状を有している。
【００７７】
第１係止穴７５は、第１引掛り部６７の側面視略中央から下端部にかけて配置されている。第１係止穴７５は、第１引掛り部６７を左右方向に貫通している。第１係止穴７５は、側面視略矩形状を有している。第１係止穴７５は、図３Ａに示すように、対応する第１突起５２を受け入れている。これにより、第１引掛り部６７が、第１突起５２の上面に接触するようにして、係合している。
【００７８】
３つの第２引掛り部６８は、図３Ｂに示すように、第２フレーム４５の左方において、前後方向に互いに間隔を隔てて配置されている。第２引掛り部６８は、第１フレーム４４の第２突起５３に対応している。第２引掛り部６８は、前後方向に隣接する第１引掛り部６７の間に配置されている。第２引掛り部６８は、第３鍔部６５の左面から左方に向かって延びた後、上方に向かって屈曲する断面視略Ｌ字状の略平板形状を有している。第２引掛り部６８の前後方向寸法は、第１引掛り部６７の前後方向寸法よりも大きい。
【００７９】
第２係止穴７６は、第２引掛り部６８の側面視略中央から下端部にかけて配置されている。第２係止穴７６は、第２引掛り部６８を左右方向に貫通している。第２係止穴７６は、側面視略矩形状を有している。第２係止穴７６は、図３Ａおよび図９Ａに示すように、対応する第２突起５３を受け入れている。これにより、第２引掛り部６８が第２突起５３の上面に接触するようにして、係合している。
【００８０】
７つの第３引掛り部６９は、図７Ａおよび図９Ｂに示すように、第２フレーム４５の右方において、前後方向に互いに間隔を隔てて配置されている。第３引掛り部６９は、第２フレーム４５の第３突起５４に対応している。第３引掛り部６９は、第４鍔部６６の右面から右方に向かって延びた後、上方に向かって屈曲する断面視略Ｌ字状の略平板形状を有している。
【００８１】
第３係止穴７７は、第３引掛り部６９の側面視略中央から下端部にかけて配置されている。第３係止穴７７は、第３引掛り部６９を左右方向に貫通している。第３係止穴７７は、側面視略矩形状を有している。第３係止穴７７は、図７Ａおよび図９Ａに示すように、対応する第３突起５４を受け入れている。これにより、第３引掛り部６９が第３突起５４の上面に接触するようにして、係合している。
【００８２】
なお、第１引掛り部６７、第２引掛り部６８、および、第３引掛り部６９は、第２係合部の一例として構成されている。
【００８３】
こうして、第１フレーム４４と、第２フレーム４５とによって、第１搬送管９５が構成されている。
【００８４】
なお、第１フレーム４４の半筒状部４９と、第２フレーム４５の半筒状部６４とは、第１搬送管９５の内部に、中空の第１空間Ｓ１を形成している。
【００８５】
また、第１フレーム４４の筒状部４８は、第１搬送管９５の内部に、中空の第２空間Ｓ２を形成している。
【００８６】
４つの接続部９６は、図３Ａおよび図７Ａに示すように、第１搬送管９５の第１フレーム４４の半筒状部４９の上方において、前後方向に互いに間隔を隔てて配置されている。より具体的には、接続部９６は、図３Ａおよび図３Ｂに示すように、前後方向において、隣接配置される第１突起５２と、第２突起５３との間に挟まれるように、並んで配置されている。なお、最後端の接続部９６は、第１突起５２と第２突起５３とに挟まれておらず、最後端の第１突起５２の後方に配置されている。接続部９６は、対応するクリーニングユニット３０と接続されるように構成されている。接続部９６は、図３Ａおよび図７Ａに示すように、挿入部９７と、連通部９８と、固定穴１０１を有する固定部９９とを備えている。
【００８７】
挿入部９７は、接続部９６の前上端部に配置されている。挿入部９７は、左右方向に延び、左端部が開放され、右端部が閉鎖された略円筒形状を有している。挿入部９７は、クリーニングユニット３０のフレーム６０の右端部に、図示しないシール部材を介して接続されている。クリーニングユニット３０のクリーニング搬送部材６２の右端部は、挿入部９７内に挿入されている。
【００８８】
連通部９８は、図６および図７Ｂに示すように、挿入部９７の後下方に配置されている。連通部９８は、上下方向に延びる略角筒形状を有している。連通部９８の後上端部は、上方に向かうにつれて、前方に向かって傾斜している。連通部９８の前上端部は、挿入部９７の後下端部に連通している。連通部９８の下端部は、第１搬送管９５の上端部に連通している。
【００８９】
固定部９９は、図３Ａおよび図７Ａに示すように、接続部９６の後上端部に配置されている。固定部９９は、連通部９８の右端部から上方へ延びる側面視略矩形の平板形状を有している。
【００９０】
固定穴１０１は、固定部９９の中央に配置されている。固定穴１０１は、固定部９９を左右方向に貫通している。固定穴１０１は、側面視略円形状を有している。
【００９１】
そして、固定部９９は、図示しないが、クリーニングユニット３０のフレーム６０の右端部と、第１位置決め板２８との間に挟まれ、ねじ部材が固定穴１０１に挿入されるように螺合されることにより、クリーニングユニット３０のフレーム６０と、第１位置決め板２８とに対して固定されている。
【００９２】
第２搬送部９２は、図６および図８に示すように、連結管１０３と、第２搬送管１０４と、排出口１０７を有する第３搬送管１０５とを備えている。
【００９３】
連結管１０３は、第２搬送部９２の左上端部に配置されている。連結管１０３は、前後方向に延び、第１搬送管９５と中心軸線を共有する略円筒形状を有している。連結管１０３は、第１搬送管９５の連通口５５に嵌まっている。
【００９４】
第２搬送管１０４は、図３Ｂおよび図８に示すように、連結管１０３の前端部の右下方に配置されている。第２搬送管１０４は、左上方と右下方とを結ぶ方向に向かって延び、前方が開放された略角筒形状を有している。第２搬送管１０４の左上端部は、連結管１０３の前端部における右下端部に連通している。
【００９５】
第３搬送管１０５は、図３Ｂおよび図６に示すように、第２搬送管１０４の右下端部から後方に延び、後端部が閉鎖された略円筒形状を有している。第３搬送管１０５は、第１搬送管９５が延びる方向と同じ方向に沿って延びている。第３搬送管１０５は、第２搬送管１０４によって、第１搬送管９５とその内外が連通されるように接続されている。第３搬送管１０５の後端部は、図６に示すように、最前端の感光ドラム１１の中心軸線よりも前方、かつ、最前端の接続部９６よりも前方に位置している。
【００９６】
排出口１０７は、第３搬送管１０５の後端部に配置されている。排出口１０７は、第３搬送管１０５の下方周壁を上下方向に貫通している。排出口１０７は、底面視略矩形状を有している。排出口１０７は、最前端の感光ドラム１１の中心軸線よりも前方に位置している。
【００９７】
閉鎖部９３は、図３Ｂおよび図６に示すように、搬送管８０の前端部に配置されている。閉鎖部９３は、左上方と右下方とを結ぶ方向に延びる正面視略矩形の略平板形状を有している。閉鎖部９３は、挿入部１１３を備えている。
【００９８】
穴１１１は、閉鎖部９３の左上方部分における略中央に配置されている。穴１１１は、正面視円形状を有している。穴１１１は、第１搬送部材８１と中心軸線を共有している。
【００９９】
穴１１２は、閉鎖部９３の右下方部分における略中央に配置されている。穴１１２は、正面視略円形状を有している。穴１１２は、第２搬送部材８２と中心軸線を共有している。
【０１００】
挿入部１１３は、図６に示すように、閉鎖部９３の後面から後方に向かって延びている。挿入部１１３は、図８に示すように、断面視略楕円筒形状を有している。挿入部１１３は、第２搬送部９２の前端部に嵌まっている。
【０１０１】
第１搬送部材８１は、図６に示すように、第１搬送部９１の第１搬送管９５内に配置されている。第１搬送部材８１は、前後方向に延びる右ねじ状のオーガスクリューである。第１搬送部材８１の後端部は、第１搬送管９５の後壁に回転可能に支持されている。第１搬送部材８１の前端部は、閉鎖部９３の穴１１１を通過し、閉鎖部９３の前方まで延びている。
【０１０２】
第２搬送部材８２は、第２搬送部９２の第３搬送管１０５内に配置されている。第２搬送部材８２は、前後方向に延びる右ねじ状のオーガスクリューである。第２搬送部材８２は、第１搬送部材８１の右下方に配置されている。また、第２搬送部材８２は、第１搬送部材８１と平行である。第２搬送部材８２の前後方向寸法は、第１搬送部材８１の前後方向寸法よりも短い。第２搬送部材８２の後端部は、第３搬送管１０５の後壁に回転可能に支持されている。第２搬送部材８２の前端部は、閉鎖部９３の穴１１２を通過し、閉鎖部９３の前方まで延びている。
【０１０３】
第１ギア８４は、図６および図７Ａに示すように、閉鎖部９３の前方において、第１搬送部材８１の前端部に相対回転不能に支持されている。第１ギア８４は、前後方向に延びる略円筒形状を有し、その周面すべてにわたってギア歯を有している。つまり、第１ギア８４は、第１搬送部材８１に固定され、第１搬送部材８１とともに回転可能である。
【０１０４】
第２ギア８５は、閉鎖部９３の前方において、第２搬送部材８２の前端部に相対回転不能に支持されている。第２ギア８５は、前後方向に延びる略円筒形状を有し、その周面すべてにわたってギア歯を有している。つまり、第２ギア８５は、第２搬送部材８２に固定され、第２搬送部材８２とともに回転可能である。第２ギア８５は、第１ギア８４の右下端部と噛合している。
【０１０５】
ギアカバー８６は、図３Ｂおよび図６に示すように、搬送ユニット３１の前端部に配置されている。ギアカバー８６は、後方および左下方が開放された略ボックス形状を有している。ギアカバー８６は、第１ギア８４の左下端部および第２ギア８５の左下端部が露出するように、第１ギア８４および第２ギア８５を前方から被覆している。
【０１０６】
シャッタユニット８８は、図２および図６に示すように、第２搬送部９２の第３搬送管１０５に組み付けられている。シャッタユニット８８は、シャッタ１３０と、付勢部材１３１とを備えている。
【０１０７】
シャッタ１３０は、第３搬送管１０５の排出口１０７を閉鎖する図２に示す閉鎖位置と、第３搬送管１０５の排出口１０７を開放する図６に示す開放位置とに回動可能に構成されている。なお、以下のシャッタ１３０の説明においては、シャッタ１３０が、図２に示す閉鎖位置にある状態を基準として説明する。
【０１０８】
シャッタ１３０は、連通口１３４を有するシャッタ本体１３３と、突起部１３５とを備えている。
【０１０９】
シャッタ本体１３３は、前後方向に延びる略円筒形状を有している。シャッタ本体１３３は、その内部に第３搬送管１０５を受け入れている。
【０１１０】
連通口１３４は、シャッタ本体１３３の右方周壁を左右方向に貫通している。連通口１３４は、側面視略矩形状を有している。連通口１３４は、前後方向において、第３搬送管１０５の排出口１０７と略同じ位置に位置している。
【０１１１】
突起部１３５は、シャッタ本体１３３の径方向外方に突出しており、Ｌ字形状を有している。突起部１３５の前端部は、シャッタ本体１３３の前端部よりも前方に位置している。
【０１１２】
付勢部材１３１は、図２および図６に示すように、前後方向に沿って線材が螺旋状に巻回されるコイル形状を有するコイルばねである。付勢部材１３１は、その内部に第３搬送管１０５の前端部を受け入れている。付勢部材１３１は、前後方向において、シャッタ１３０の突起部１３５と重なっている。付勢部材１３１は、図示しないが、その線材の一端部が第３搬送管１０５に固定され、その他端部が突起部１３５に固定されており、常には、シャッタ１３０が閉鎖位置に位置するように、正面視反時計回り方向に付勢している。
（４）前板、後板、第１側板および第２側板
前板３２は、図２および図４に示すように、ドラムユニット９の前端部に配置されている。前板３２は、左右方向に長い正面視略矩形の平板形状を有している。前板３２は、第１位置決め板２８の前端部と、第２位置決め板２９の前端部との間に架設されている。
【０１１３】
後板３３は、ドラムユニット９の後端部に配置されている。後板３３は、左右方向に長い正面視略矩形の平板形状を有している。後板３３は、第１位置決め板２８の後端部と、第２位置決め板２９の後端部との間に架設されている。
【０１１４】
第１側板３４は、図２および図４に示すように、第１位置決め板２８の右方に配置されている。第１側板３４は、第１位置決め板２８よりも上下方向に幅広な側面視略矩形の平板形状を有している。
【０１１５】
第２側板３５は、図４に示すように、第２位置決め板２９の左方に配置されている。第２側板３５は、第２位置決め板２９よりも上下方向に幅広な側面視略矩形の平板形状を有している。
３．本体ケーシングの構成
本体ケーシング２は、図１および図６に示すように、廃トナー収容ユニット１５０を備えている。
【０１１６】
廃トナー収容ユニット１５０は、図１に示すように、ベルトユニット５の下方に配置されている。廃トナー収容ユニット１５０は、略ボックス形状を有している。廃トナー収容ユニット１５０は、クリーニングユニット３０で除去されたトナーを貯留するように構成されている。廃トナー収容ユニット１５０は、図６および図８に示すように、導入管１６０を備えている。
【０１１７】
導入管１６０は、廃トナー収容ユニット１５０の前端部の右端部に配置されている。導入管１６０は、第１部分１６１と、第２部分１６２とを備えている。
【０１１８】
第１部分１６１は、図８に示すように、左右方向に延びる角筒形状を有している。第１部分１６１の左端部は、図示しないが、廃トナー収容ユニット１５０の内部空間に連通している。
【０１１９】
第２部分１６２は、図６および図８に示すように、ベルトユニット５の前端部の右方に配置されている。第２部分１６２は、上下方向に延びる角筒形状を有している。第２部分１６２の下端部は、第２部分１６２と連通している。
４．ドラムユニットの着脱動作
ドラムユニット９を本体ケーシング２に対して装着するには、作業者は、まず、図１に示すように、本体ケーシング２のフロントカバー２２をその下端部を支点として揺動させ、開口２１を開放する。
【０１２０】
次いで、作業者は、図１および図２に示すように、ドラムユニット９を把持して、ドラムユニット９を外方位置に位置させ、開口２１を介してドラムユニット９を後方へ押し込む。
【０１２１】
これにより、ドラムユニット９において、シャッタ１３０の突起部１３５が、本体ケーシング２の図示しない当接部に当接する。
【０１２２】
次いで、作業者がドラムユニット９をさらに後方へ押し込むと、ドラムユニット９は、図示しないガイドによって案内されて、後下方へ移動し、内方位置に位置する。
【０１２３】
このとき、シャッタ１３０は、付勢部材１３１の付勢力に抗して、図６に示すように、連通口１３４がシャッタ本体１３３の下方に位置し、第３搬送管１０５の排出口１０７と上下方向において連通する開放位置に位置する。第３搬送管１０５の排出口１０７は、廃トナー収容ユニット１５０の導入管１６０の第２部分１６２の上端部に連結される。搬送管８０は、排出口１０７を介して、廃トナー収容ユニット１５０の導入管１６０の第２部分１６２の上端部に連通される。
【０１２４】
そして、作業者がフロントカバー２２を閉めることにより、ドラムユニット９の装着動作が完了する。
【０１２５】
また、ドラムユニット９を内方位置から外方位置に移動させるには、作業者は、上記した動作と逆に、ドラムユニット９を操作する。
【０１２６】
詳しくは、作業者は、まず、図１に示すように、本体ケーシング２のフロントカバー２２を開放する。
【０１２７】
次いで、作業者は、ドラムユニット９を把持して、ドラムユニット９を前方へ引き出す。
【０１２８】
すると、ドラムユニット９は、本体ケーシング２の図示しないガイドによって、わずかに前上方へ移動する。
【０１２９】
そして、ドラムユニット９の移動に伴って、シャッタ１３０は、付勢部材１３１によって、正面視反時計回りに付勢されながら、突起部１３５が図示しない当接部から離間し、正面視反時計回りに回動する。
【０１３０】
これにより、シャッタ１３０は、図２に示すように、シャッタ本体１３３の周壁によって排出口１０７を閉鎖する閉鎖位置に移動する。
【０１３１】
そして、作業者は、ドラムユニット９を前方へさらに引き出す。
【０１３２】
これにより、ドラムユニット９は、外方位置に位置し、ドラムユニットの引き出し動作が完了する。
５．クリーニング動作
次いで、感光ドラム１１の表面に付着し、残留したトナーのクリーニング動作について、説明する。
【０１３３】
画像形成動作において、感光ドラム１１に残留したトナーは、図５に示すように、感光ドラム１１が回転することにより、クリーニングユニット３０のクリーニング部材６１が、感光ドラム１１と接触し、感光ドラム１１の表面に残留したトナーを掻き取り、除去する。
【０１３４】
そして、感光ドラム１１の表面から除去されたトナーは、フレーム６０内に落下する。
【０１３５】
このとき、クリーニング搬送部材６２は、図示しないギアが感光ドラム１１から駆動力を受けることにより、右側面視反時計回りに回転している。
【０１３６】
これにより、フレーム６０内のトナーは、クリーニング搬送部材６２によって、右方に搬送される。
【０１３７】
そして、フレーム６０内を右方に搬送されたトナーは、図６に示すように、接続部９６の挿入部９７および連通部９８を介して、第１搬送管９５の第１空間Ｓ１内に流入する。
【０１３８】
このとき、第２搬送部材８２は、第２ギア８５が、本体ケーシング２の図示しない駆動ギアからの駆動力が伝達されることにより、正面視反時計回りに回転している。
【０１３９】
また、第１搬送部材８１は、第１ギア８４に対して、第２ギア８５を介して、本体ケーシング２の図示しない駆動ギアからの駆動力が伝達されることにより、正面視時計回りに回転する。
【０１４０】
これにより、第１搬送管９５内に流入したトナーは、第１搬送部材８１によって、第１空間Ｓ１内を前方に搬送される。
【０１４１】
こうして、４つの感光ドラム１１の表面から掻き取られたトナーは、第１空間Ｓ１内においてまとめられて、後方から前方に向けて、第２空間Ｓ２に搬送される。
【０１４２】
そして、第１搬送管９５の前端部に搬送されたトナーは、第１フレーム４４の連通口５５を介して、第２搬送部９２の連結管１０３内に流入する。
【０１４３】
このとき、トナーは、第１搬送部材８１によって前方に搬送されることにより、閉鎖部９３の後面に当接し、トナーの自重により、第２搬送管１０４内を右下方に向かって移動し、第３搬送管１０５の前端部に流入する。
【０１４４】
次いで、第３搬送管１０５の前端部に流入したトナーは、第２搬送部材８２によって、後方に向かって搬送される。
【０１４５】
これにより、トナーは、第３搬送管１０５内において、排出口１０７まで搬送され、排出口１０７を介して、導入管１６０に排出される。
【０１４６】
そして、トナーは、導入管１６０を介して、廃トナー収容ユニット１５０に貯留される。
【０１４７】
以上により、感光ドラム１１の表面に残留したトナーのクリーニング動作が完了する。
６．作用効果
（１）この画像形成装置１によれば、図５および図６に示すように、感光ドラム１１の表面上からクリーニングユニット３０によって除去されたトナーは、搬送管８０内を、第１搬送部材８１によって、廃トナー収容ユニット１５０に向けて搬送される。
【０１４８】
このとき、トナーは、図６に示すように、搬送管８０において、第１フレーム４４の半筒状部４９と第２フレーム４５の半筒状部６４とから形成される第１空間Ｓ１を通過し、第１フレーム４４の筒状部４８内に形成される第２空間Ｓ２内を通過する。
【０１４９】
そのため、搬送方向の上流においては、第１フレーム４４の半筒状部４９と第２フレーム４５の半筒状部６４とから形成される第１空間Ｓ１において、トナーを搬送し、搬送方向の上流と比較して、搬送管８０にかかるトナーの圧力が増加する搬送方向の下流においては、第１フレーム４４のみからなる筒状部４８に形成される第２空間Ｓ２において、トナーを漏らすことなく搬送することができる。
【０１５０】
その結果、第１フレーム４４と、第２フレーム４５とによって、トナーを安定して搬送することができる。
（２）また、この画像形成装置１によれば、図３Ａおよび図９Ａに示すように、第１引掛り部６７を第１突起５２に係合させ、第２引掛り部６８を第２突起５３に係合させ、第３引掛り部６９を第３突起５４に係合させることにより、第２フレーム４５を第１フレーム４４に対して固定することができる。
【０１５１】
そのため、第１フレーム４４の半筒状部４９と第２フレーム４５の半筒状部６４とによって確実に第１空間Ｓ１を形成することができる。
（３）また、この画像形成装置１によれば、図３Ａおよび図９Ａに示すように、第１引掛り部６７の第１係止穴７５が第１突起５２を受け入れることで、第１引掛り部６７を、第１突起５２の上面に接触させるという簡易な構成により、第１突起５２とを係合させることができる。また、第２引掛り部６８の第２係止穴７６が第２突起５３を受け入れることで、第２引掛り部６８を、第２突起５３の上面に接触させるという簡易な構成により、第２突起５３と係合させることができる。
【０１５２】
そのため、第１フレーム４４の半筒状部４９と第２フレーム４５の半筒状部６４とによって、容易に第１空間Ｓ１を形成することができる。
（４）また、この画像形成装置１によれば、図３Ｂに示すように、第１突起５２の下面が第２空間Ｓ２から離れる方向、すなわち左方に向かうにつれて、上方に傾斜しているので、第２フレーム４５を第１フレーム４４の半筒状部４９に対して、下方から組み付けることにより、第１引掛り部６７を、第１突起５２の傾斜部分によって案内することができ、容易に、第１突起５２の上面に接触させることができる。
【０１５３】
また、図３Ｂおよび図９Ａに示すように、第２突起５３の下面が第２空間Ｓ２から離れる方向、すなわち左方に向かうにつれて、上方に傾斜しているので、第２フレーム４５を第１フレーム４４の半筒状部４９に対して、下方から組み付けることにより、第２引掛り部６８を、第２突起５３の傾斜部分によって案内することができ、容易に、第２突起５３の上面に接触させることができる。
【０１５４】
そのため、第１突起５２と、第１引掛り部６７とを容易に係合させ、第２突起５３と、第２引掛り部６８とを容易に係合させることができる。
（５）また、この画像形成装置１によれば、図３Ａおよび図７Ａに示すように、第１フレーム４４と、第２フレーム４５とは、前後方向において、複数個所で係合されるので、第２フレーム４５を第１フレーム４４に対して確実に固定することができる。
（６）また、この画像形成装置１によれば、図７Ｂに示すように、第２フレーム４５を第１フレーム４４に固定した状態で、第１フレーム４４の筒状部４８の突出部５６の下方には、第２フレーム４５の半筒状部６４の接触部７２が配置されているので、搬送方向における第１フレーム４４の筒状部４８と、第２フレーム４５の半筒状部６４との間に隙間が生じることを抑制することができる。
【０１５５】
そのため、第１フレーム４４の筒状部４８と、第２フレーム４５の半筒状部６４との間からトナーが漏れることを抑制することができるので、第１空間Ｓ１から第２空間Ｓ２に向けて、安定してトナーを搬送することができる。
（７）また、この画像形成装置１によれば、図９Ａに示すように、第１フレーム４４の半筒状部４９の第１端縁５７の内面５７Ａに対して、第２フレーム４５の半筒状部６４の第３端縁７０の外面７０Ａを接触させ、第１フレーム４４の半筒状部４９の第２端縁５８の内面５８Ａに対して、第２フレーム４５の半筒状部６４の第４端縁７１の外面７１Ａを接触させることにより、第１フレーム４４の半筒状部４９と第２フレーム４５の半筒状部６４との間に隙間が生じることを抑制することができる。
【０１５６】
そのため、第１フレーム４４の半筒状部４９と第２フレーム４５の半筒状部６４とから形成される第１空間Ｓ１を通過するトナーが漏れることを抑制することができる。
（８）また、この画像形成装置１によれば、図３Ａおよび図９Ａに示すように、第３端縁７０の外面７０Ａを、第１端縁５７の内面５７Ａに対して接触させ、第４端縁７１の外面７１Ａを、第２端縁５８の内面５８Ａに対して接触させることで、第２フレーム４５の第１フレーム４４に対する接触面積を大きく確保することができる。
【０１５７】
そのため、第１フレーム４４の半筒状部４９と、第２フレーム４５の半筒状部６４との間に隙間が生じることを確実に抑制することができる。
（９）また、この画像形成装置１によれば、図９Ａに示すように、第２フレーム４５の第１凹部７３が第１端縁５７を受け入れ、第２凹部７４が第２端縁５８を受け入れることにより、第２フレーム４５の第１フレーム４４に対する接触面積をより大きく確保することができる。
【０１５８】
そのため、第１フレーム４４の半筒状部４９と、第２フレーム４５の半筒状部６４との間に隙間が生じることを、より確実に抑制することができる。
（１０）また、この画像形成装置１によれば、図９Ａおよび図９Ｂに示すように、第１凹部７３が第３端縁７０の外面７０Ａと連続していることにより、第１端縁５７は、その内面５７Ａが第３端縁７０の外面７０Ａに接触されるとともに、第１凹部７３に受け入れられる。
【０１５９】
また、第２凹部７４が第４端縁７１の外面７１Ａと連続していることにより、第２端縁５８は、その内面５８Ａが第４端縁７１の外面７１Ａに接触されるとともに、第２凹部７４に受け入れられる。
【０１６０】
そのため、より一層、第１フレーム４４の半筒状部４９と、第２フレーム４５の半筒状部６４との間に隙間が生じることを抑制することができる。
（１１）また、この画像形成装置１によれば、図５および図６に示すように、クリーニングユニット３０が接続部９６を介して第１フレーム４４と接続されるので、感光ドラム１１上から除去されたトナーを、確実に、第１フレーム４４に搬送することができる。
（１２）また、この画像形成装置１によれば、第１位置決め板２８によって、感光ドラム１１と、接続部９６とが位置決めされるので、感光ドラム１１に対するクリーニングユニット３０の位置精度の向上を図ることができる。
（１３）また、この画像形成装置１によれば、図３Ａおよび図３Ｂに示すように、前後方向において、第１突起５２と第２突起５３とが、接続部９６を挟むように配置されているので、接続部９６の近傍で、第１フレーム４４の半筒状部４９と、第２フレーム４５の半筒状部６４との間からトナーが漏れることを確実に抑制することができる。
（１４）また、この画像形成装置１によれば、図６に示すように、トナーは、第１フレーム４４と第２フレーム４５とを備える第１搬送管９５を搬送された後、第２搬送管１０４、第３搬送管１０５の順で、搬送管８０内を搬送され、排出口１０７から排出される。
【０１６１】
そのため、トナー搬送の自由度を向上させることができ、トナーをより確実に廃トナー収容ユニット１５０に搬送することができる。
（１５）また、この画像形成装置１によれば、図３Ａおよび図６に示すように、筒状部４８が円筒状であることにより、第２空間Ｓ２をトナーが通過するときに、第１フレーム４４の筒状部４８の内面にかかる圧力を均一にすることができる。
【０１６２】
そのため、トナーを安定して搬送することができる。
（１６）また、この画像形成装置１によれば、図３Ａおよび図６に示すように、第１フレーム４４の半筒状部４９および第２フレーム４５の半筒状部６４が半円筒状であることにより、第１フレーム４４の半筒状部４９と、第２フレーム４５の半筒状部６４とから、断面が円形状となる第１空間Ｓ１を形成することができる。
【０１６３】
そのため、第１空間Ｓ１をトナーが通過するときに、第１フレーム４４の半筒状部４９および第２フレーム４５の半筒状部６４の内面にかかる圧力を均一にすることができる。
【０１６４】
そのため、トナーをより安定して搬送することができる。
（１７）また、この画像形成装置１によれば、図３Ｂおよび図６に示すように、第１搬送部材８１がオーガスクリューであるので、搬送管８０内において、トナーをより確実に搬送することができる。
（１８）また、このドラムユニット９によれば、図５および図６に示すように、感光ドラム１１上からクリーニングユニット３０によって除去されたトナーは、搬送管８０内を、第１搬送部材８１によって搬送される。
【０１６５】
このとき、トナーは、図６に示すように、搬送管８０において、第１フレーム４４の半筒状部４９と第２フレーム４５の半筒状部６４とから形成される第１空間Ｓ１を通過し、第１フレーム４４の筒状部４８内に形成される第２空間Ｓ２内を通過する。
【０１６６】
そのため、搬送方向の上流においては、第１フレーム４４の半筒状部４９と第２フレーム４５の半筒状部６４とから形成される第１空間Ｓ１において、トナーを搬送し、搬送方向の上流と比較して、搬送管８０にかかるトナーの圧力が増加する搬送方向の下流においては、第１フレーム４４のみからなる筒状部４８に形成される第２空間Ｓ２において、トナーを漏らすことなく搬送することができる。
【０１６７】
その結果、第１フレーム４４と、第２フレーム４５とによって、トナーを安定して搬送することができる。
７．第２実施形態
図１０Ａおよび図１０Ｂを参照して、本発明の第２実施形態を説明する。なお、第２実施形態において、上記した第１実施形態と同様の部材には、同様の符号を付し、その説明を省略する。
【０１６８】
上記した実施形態では、図３Ｂに示すように、搬送管８０が、第２搬送部９２および閉鎖部９３を備えており、第１搬送管９５に流入したトナーは、第２搬送管１０４および第３搬送管１０５を通過し、排出口１０７を介して、廃トナー収容ユニット１５０に排出されている。
【０１６９】
これに対して、本発明の第２実施形態では、搬送管８０が、第２搬送部９２および閉鎖部９３を備えておらず、トナーを廃トナー収容ユニット１５０に排出する排出口２０７は、第１搬送管９５に備えられている。
【０１７０】
具体的には、第１搬送管９５の第１フレーム４４は、排出口２０７を有する２０６を備えている。
【０１７１】
筒状部２０６は、第１フレーム４４の前端部に配置されている。筒状部２０６は、前後方向に延び、前端部が閉鎖された略円筒形状を有している。筒状部２０６は、第１搬送管９５の内部に、中空の第２空間Ｓ２を形成している。
【０１７２】
排出口２０７は、筒状部４８の後端部に配置されている。排出口２０７は、筒状部２０６の下方周壁を上下方向に貫通している。
【０１７３】
そして、排出口２０７が廃トナー収容ユニット１５０と接続されることにより、第１搬送管９５内のトナーが廃トナー収容ユニット１５０に搬送される。
【０１７４】
この第２実施形態によれば、第１フレーム４４の筒状部２０６が排出口２０７を備えているので、第１フレーム４４の半筒状部４９と第２フレーム４５の半筒状部６４とから形成される第１空間Ｓ１を通過させた後、トナーの搬送方向の上流と比較して、第１搬送管９５にかかるトナーの圧力が増加する搬送方向の下流において、第２空間Ｓ２を通過するようにして、トナーを排出口２０７から排出することができる。
【０１７５】
また、この第２実施形態においても、上記した第１実施形態と同様の作用効果を得ることができる。
８．変形例
上記した実施形態では、第１フレーム４４の半筒状部４９は、半円筒形状ではなく、部分円筒形状を有していてもよい。また、第２フレーム４５の半筒状部６４は、半円筒形状ではなく、部分円筒形状を有していてもよい。
【符号の説明】
【０１７６】
１      画像形成装置
２      本体ケーシング
９      ドラムユニット
１１    感光ドラム
２１    開口
２８    第１位置決め板
２９    第２位置決め板
３０    クリーニングユニット
３１    搬送ユニット
４４    第１フレーム
４５    第２フレーム
４８    筒状部
４９    半筒状部
５２    第１突起
５３    第２突起
５４    第３突起
５５    連通口
５６    突出部
５７    第１端縁
５８    第２端縁
６４    半筒状部
６７    第１引掛り部
６８    第２引掛り部
６９    第３引掛り部
７０    第３端縁
７０Ａ  外面
７１    第４端縁
７１Ａ  外面
７２    接触部
７３    第１凹部
７４    第２凹部
８０    搬送管
８１    第１搬送部材
９５    第１搬送管
９６    接続部
９９    固定部
１０４  第２搬送管
１０５  第３搬送管
１０７  排出口
１５０  廃トナー収容ユニット
２０６  筒状部
２０７  排出口
Ｓ１    第１空間Ｓ１
Ｓ２    第２空間Ｓ２
【図１】
0006341132.tif 000002
【図２】
0006341132.tif 000003
【図３】
0006341132.tif 000004
【図４】
0006341132.tif 000005
【図５】
0006341132.tif 000006
【図６】
0006341132.tif 000007
【図７】
0006341132.tif 000008
【図８】
0006341132.tif 000009
【図９】
0006341132.tif 000010
【図１０】
0006341132.tif 000011